(57)【要約】【課題】本発明は、絞りユニットを保持した保持体の内周面に凹部を形成する必要がなく、保持体を径方向に薄肉化でき、レンズ鏡胴の小型化を図り得るレンズ鏡胴およびレンズユニットの提供を目的とする。【解決手段】絞り羽根保持部材８４を有する絞りユニット８と、絞りユニット８を保持し絞り羽根保持部材受け部７１ｄを有するレンズ保持部材本体７１と、レンズ保持部材本体７１に連結された第１連結部材７２とを備える。第１連結部材７２は、その一端面に、絞り羽根保持部材８１を絞り羽根保持部材受け部７１ｄに押し付けるように絞り羽根保持部材８１を押圧する押圧部７２ｄを備える。押圧部７２ｄは、第１連結部材７２がレンズ保持部材本体７１に連結される際に絞り羽根保持部材８１が絞り羽根保持部材受け部７１ｄに対して回動可能状態になるように、絞り羽根保持部材８１に弾性力をかけて押圧する。【選択図】図１
2015087497.tif 000002
【特許請求の範囲】
【請求項１】
絞りユニットと、前記絞りユニットを保持した筒状の保持体と、前記保持体に連結された第１連結部材とを備え、
前記絞りユニットは、光量を調整する絞り羽根と、前記絞り羽根を保持した絞り羽根保持部材とを備え、
前記保持体は、前記絞り羽根保持部材を受ける絞り羽根保持部材受け部を備え、
前記第１連結部材は、その一端に、前記絞り羽根保持部材を前記絞り羽根保持部材受け部に押し付けるように前記絞り羽根保持部材を押圧する押圧部を備え、
前記押圧部は、前記第１連結部材が前記保持体に連結される際に前記絞り羽根保持部材が絞り羽根保持部材受け部に対して回動可能状態になるように、前記絞り羽根保持部材に弾性力をかけて押圧することを特徴とするレンズ鏡胴。
【請求項２】
前記第１連結部材は、筒状を呈し、
前記押圧部は、前記一端における軸方向の端面から軸方向に突設された一対の支持片と、前記支持片に掛け渡され前記絞り羽根保持部材に当接する撓み可能な弾性片とを備え、
前記弾性片は、前記絞り羽根保持部材を前記保持体の軸方向の一方向側に押圧していることを特徴とする請求項１記載のレンズ鏡胴。
【請求項３】
前記第１連結部材は、前記保持体に連結された筒状の第１連結部材本体を備え、
前記押圧部は、前記第１連結部材本体と一体成形によって、前記第１連結部材本体の一端から軸方向に突設されていることを特徴とする請求項１又は２記載のレンズ鏡胴。
【請求項４】
前記保持体は、第１連結用ネジ部を備え、
前記第１連結部材は、第１連結ネジ螺合用ネジ部を備え、
前記第１連結ネジ螺合用ネジ部が前記第１連結用ネジ部に螺合されることにより、前記保持体と第１連結部材とが連結されることを特徴とする請求項１〜３の何れか一項に記載のレンズ鏡胴。
【請求項５】
固定筒を、更に備え、
前記保持体は、固定筒の軸方向に移動可能に配設され、
前記第１連結部材は、レンズを保持する第１レンズ保持部を備え、
前記第１レンズ保持部は、前記絞りユニットの外径よりも小径に形成されていることを特徴とする請求項１〜４の何れか一項に記載のレンズ鏡胴。
【請求項６】
レンズを保持する第２レンズ保持部を有し前記保持体に連結された第２連結部材を、更に備え、
前記絞りユニットを挟んで前記保持体の軸方向の一方側に前記第２連結部材が、前記軸方向の他方側に前記第１連結部材が、それぞれ配置されていることを特徴とする請求項１〜５の何れか一項に記載のレンズ鏡胴。
【請求項７】
請求項１〜６の何れか一項に記載のレンズ鏡胴と、前記第１レンズ保持部材に保持された１又は複数のレンズとを備えていることを特徴とするレンズユニット。
【発明の詳細な説明】
【技術分野】
【０００１】
本発明は、レンズ鏡胴およびレンズユニットに関するものである。
【背景技術】
【０００２】
近年、カメラ等のレンズユニットは、性能を維持あるいは向上させつつ、より小型化及び小径化が求められている。性能の維持あるいは向上には、光学系の大型化及び絞り値の大口径化が求められる一方で小型化のために機構部のスペースが小さくならざるを得ず、絞りユニット外径の径小化が求められる。従来、製造時に絞り羽根保持部材を回動させ、開口の初期位置調整を行い鏡胴に固定する機構としては、たとえば特許文献１に開示されたものがある。
【０００３】
この特許文献１に開示されたレンズユニットは、絞り羽根保持部材の外周に、径方向に突設された係合突起部を備え、一方、レンズ保持部材を保持した保持体の内周面に凹設した凹部を備えている。そして、係合突起部が凹部に嵌挿された状態で、絞り羽根保持部材が保持体に対して回動操作されることにより絞り開口の初期設定が行われ、その後、その位置で絞り羽根保持部材が保持体に固定される。
【先行技術文献】
【特許文献】
【０００４】
【特許文献１】特開２０１０−１２８０５９号公報
【発明の概要】
【発明が解決しようとする課題】
【０００５】
しかしながら、特許文献１では、保持体の内周面に、係合突起部を嵌挿する凹部を形成しているため、保持体を径方向に薄肉化し難く、保持体の小型化を図り難いという問題点がある。
【０００６】
また、絞りユニットを保持体に組み込む際、絞りユニットの外周側に、保持体内径より外周側に突出した係合突起部を有するため、絞りユニットの保持体への組み込み作業性にも難がある。
【０００７】
本発明は、絞りユニットを保持した保持体の内周面に凹部を形成する必要がなく、保持体を径方向に薄肉化でき、レンズ鏡胴の小型化を図り得るとともに、保持体への絞りユニットの組み込み性が良好なレンズ鏡胴およびレンズユニットの提供を目的とする。
【課題を解決するための手段】
【０００８】
本発明のレンズ鏡胴は、絞りユニットと、前記絞りユニットを保持した筒状の保持体と、前記保持体に連結された第１連結部材とを備え、前記絞りユニットは、光量を調整する絞り羽根と、前記絞り羽根を保持した絞り羽根保持部材とを備え、前記保持体は、前記絞り羽根保持部材を受ける絞り羽根保持部材受け部を備え、前記第１連結部材は、その一端に、前記絞り羽根保持部材を前記絞り羽根保持部材受け部に押し付けるように前記絞り羽根保持部材を押圧する押圧部を備え、前記押圧部は、前記第１連結部材が前記保持体に連結される際に前記絞り羽根保持部材が絞り羽根保持部材受け部に対して回動可能状態になるように、前記絞り羽根保持部材に弾性力をかけて押圧することを特徴とする。
【０００９】
この構成によれば、第１連結部材が保持体に連結されれば、絞り羽根保持部材が絞り羽根保持部材受け部に対して回動可能状態になるように、押圧部が絞り羽根保持部材に弾性力をかけて押圧する。
【００１０】
これにより、従来のように、絞り羽根保持部材に設けた係合突起部を嵌挿させる凹部を保持体の内周面に形成する必要のないものにでき、保持体を径方向に薄肉化でき、レンズ鏡胴の小型化を図り得る。また、従来のように、絞り保持部材に設けた、保持体内径より突出した係合突起部も不要となるため、保持体への絞りユニットの組み込みが容易となる。
【００１１】
他の一態様では、前記第１連結部材は、筒状を呈し、前記押圧部は、前記一端における軸方向の端面から軸方向に突設された一対の支持片と、前記支持片に掛け渡され前記絞り羽根保持部材に当接する撓み可能な弾性片とを備え、前記弾性片は、前記絞り羽根保持部材を前記保持体の軸方向の一方向側に押圧していることを特徴とする。
【００１２】
この構成によれば、弾性片が絞り羽根保持部材を保持体の軸方向の一方向側に押圧すると、弾性片が軸方向の他方向側に撓んで弾性力を蓄え、その弾性力を絞り羽根保持部材にかけて保持体の軸方向の一方向側に押圧でき、確実に絞り羽根保持部材を絞り羽根保持部材受け部に押し当てることができる。又、製作に際して、押圧部が容易に形成される。
【００１３】
他の一態様では、前記第１連結部材は、前記保持体に連結された筒状の第１連結部材本体を備え、前記押圧部は、前記第１連結部材本体と一体成形によって、前記第１連結部材本体の一端から軸方向に突設されていることを特徴とする。
【００１４】
この構成によれば、押圧部が、より一層、容易に形成可能になる。
【００１５】
他の一態様では、前記保持体は、第１連結用ネジ部を備え、前記第１連結部材は、第１連結ネジ螺合用ネジ部を備え、前記第１連結ネジ螺合用ネジ部が前記第１連結用ネジ部に螺合されることにより、前記保持体と第１連結部材とが連結されることを特徴とする。
【００１６】
この構成によれば、第１連結ネジ螺合用ネジ部と前記第１連結用ネジ部とが螺合される際に、押圧部が絞り羽根保持部材を絞り羽根保持部材受け部に押し付けるように絞り羽根保持部材を保持体の軸方向の一方向側に押圧できる。従って、押圧部の押圧操作を容易なものにできる。
【００１７】
他の一態様では、固定筒を、更に備え、前記保持体は、固定筒の軸方向に移動可能に配設され、前記第１連結部材は、レンズを保持する第１レンズ保持部を備え、前記第１レンズ保持部は、前記絞りユニットの外径よりも小径に形成されていることを特徴とする。
【００１８】
この構成によれば、第１連結部材の一端に形成された押圧部が絞り羽根保持部材を押圧するため、押圧部が絞り羽根保持部材を押圧した後に、第１連結部材の第１レンズ保持部にレンズを保持でき、絞りユニットの外径よりも径小なレンズを保持できる。
【００１９】
他の一態様では、レンズを保持する第２レンズ保持部を有し前記保持体に連結された第２連結部材を、更に備え、前記絞りユニットを挟んで前記保持体の軸方向の一方側に前記第２連結部材が、前記軸方向の他方側に前記第１連結部材が、それぞれ配置されていることを特徴とする。
【００２０】
この構成によれば、保持体は、第１及び第２連結部材と絞りユニットとを保持するため、第１及び第２連結部材と絞りユニットとが一体に固定筒に対して移動し、それらが互いに正確に移動可能になる。
【００２１】
他の一態様では、上述の何れかのレンズ鏡胴と、前記第１レンズ保持部材に保持された１又は複数のレンズとを備えていることを特徴とするレンズユニット。
【００２２】
この構成によれば、第１連結部材が保持体に連結されれば、絞り羽根保持部材が絞り羽根保持部材受け部に対して回動可能状態になるように、押圧部が絞り羽根保持部材に弾性力をかけて押圧でき、従来のように、絞り羽根保持部材に設けた係合突起部を嵌挿させる凹部を保持体の内周面に形成する必要がなく、保持体を径方向に薄肉化でき、レンズ鏡胴の小型化を図り得るとともに、保持体への絞りユニットの組み込みが容易なレンズユニットにできる。
【発明の効果】
【００２３】
本発明のレンズ鏡胴及びレンズユニットは、保持体の内周面に凹部を形成する必要がなく、保持体を径方向に薄肉化でき、レンズ鏡胴の小型化を図り得るとともに、絞り保持部材の外周側に、保持体内径より外周側に突出した係合突起部を有する必要がなく、保持体への絞りユニットの組み込み性が容易となる。
【図面の簡単な説明】
【００２４】
【図１】本発明のレンズ鏡胴を備えた一実施形態のレンズユニットの半断面図である。
【図２】図１のレンズユニットに用いられる固定筒、カム環、入力伝達リング、オート用入力リング及びマニュアル用入力リングの分解斜視図である。
【図３】図１のレンズユニットに用いられる絞りユニット、レンズ保持部材本体、第１連結部材及び絞り操作部材の分解斜視図である。
【図４】図１のレンズユニットに用いられる第１連結部材の斜視図である。
【図５】第１連結部材の押圧部の拡大斜視図である。
【図６】絞りユニットに用いられる羽根操作部材がレンズユニットに用いられる絞り操作部材に連結した状態の斜視図である。
【図７】第１連結部材の押圧部が絞りユニットに用いられる羽根保持部材を押圧した状態の要部拡大側面図である。
【発明を実施するための形態】
【００２５】
以下、本発明を実施するための形態について、図面を参照しながら詳細に説明する。図１は、本発明のレンズ鏡胴を備えた一実施形態のレンズユニットの断面図、図２は、図１のレンズユニットに用いられる固定筒、カム環、入力伝達リング、オート用入力リング及びマニュアル用入力リングの分解斜視図、図３は、図１のレンズユニットに用いられる絞りユニット、レンズ保持部材本体、第１連結部材及び絞り操作部材の分解斜視図である。尚、図１〜図７におけるＸ−Ｙ方向を前後方向（光軸方向）とし、又、Ｘ方向を前方側（対物側）とし、Ｙ方向を後方側（像側）として説明する。
【００２６】
この実施形態のレンズユニット１は、図１に示すようにレンズ鏡筒１０と、レンズ３１、３２とを備えている。
【００２７】
レンズ鏡筒１０は、円筒状の固定筒２と、オートフォーカス動作部と、マニュアルフォーカス動作部と、入力伝達リング４と、カム環５と、レンズ保持部材７と、絞りユニット８とを備えている。
【００２８】
固定筒２は、図２に示すように、後部側に、軸方向（光軸方向）に延ばされた３つの摺動軸案内溝２２と、カム環５とバヨネット係合するためのバヨネット係合用凸部２３とを備えている。摺動軸案内溝２２は、レンズ３１，３２を光軸方向に案内するためのもので、周方向に沿って等間隔に配設されている。
【００２９】
この固定筒２の外周側には、図１に示すように円筒状のカバー２１が配設されており、固定筒２は、その外周側がカバー２１によって覆われている。
【００３０】
オートフォーカス動作部は、図２に示すようにモータ６１と、制御部６２と、オート用入力リング６３とを備えている。モータ６１は、この実施形態では、出力ギア６１ｃを有する減速用ギア６１ｂを備えている。そして、このモータ６１は、出力ギア６１ｃを後側になるようにして固定筒２の外周に取り付けられている。
【００３１】
制御部６２は、例えばモータ６１と通電可能に接続されてモータ６１の制御等を行なう。この制御部６２は、固定筒２の外周側におけるモータ６１の周方向側に、モータ６１の近傍に互いに周方向に隣接するようにして配設されて固定筒２に取付けられている。尚、図２では、制御部６２の基板のみ表し、基板に配設された電子部品を省略している。
【００３２】
このようにして、モータ６１と制御部６２とを互いに近接させて互いに固定筒２の周方向に隣接するように配設することにより、両者の電気接続を容易に行い得るようにしているとともに、制御部６２とモータ６１との設置が軸方向に短くなり、固定筒２の軸方向の長さを短くできるようにしている。
【００３３】
オート用入力リング６３は、円筒状のものから構成されている。この実施形態では、オート用入力リング６３は、筒本体６３ａと、ギアリング６３ｂとから構成されている。筒本体６３ａは、その後面に、後述の転動ローラー４２ｂが転動する第１ローラー転動部６３ｄを備えている。
【００３４】
ギアリング６３ｂは、外周の全周に渡って、モータ６１の出力ギア６１ｃと噛合する第２ギア６３ｅを備えている。そして、このギアリング６３ｂは、図１に示すように、筒本体６３ａの前方側に固定的に取り付けられている。
【００３５】
このように構成されたオート用入力リング６３は、固定筒２の外周におけるモータ６１の後方側に、固定筒２に設けられたベアリング２４に後方側から当接するようにして固定筒２の軸まわりに回動自在に配設されている。
【００３６】
又、この状態で、オート用入力リング６３の第２ギア６３ｅとモータ６１の出力ギア６１ｃとが噛合し、出力ギア６１ｃの回動に伴って、オート用入力リング６３が固定筒２の外周を回動するようになっている。
【００３７】
尚、この実施形態では、オート用入力リング６３は、筒本体６３ａと、筒本体６３ａと別体のギアリング６３ｂとから構成されたが、両者を一体的に形成したものであっても良く、適宜変更できる。
【００３８】
マニュアルフォーカス動作部は、マニュアル用入力リング７６と、マニュアル用入力リング７６を操作するマニュアル駆動操作部材としてのマニュアル操作リング７７とを備えている。
【００３９】
マニュアル用入力リング７６は、図２に示すように円板状のものから構成されており、前面に、後述の転動ローラー４２ｂが転動する第２ローラー転動部７６ａを備えている。
【００４０】
そして、このマニュアル用入力リング７６は、図１に示すように固定筒２の軸方向におけるオート用入力リング６３の後方側に、固定筒２の軸まわりに回動自在に配設されている。
【００４１】
マニュアル操作リング７７は、図１に示すように円筒状のものから構成され、外周側に、回動操作部７７ｂを備え、内周側に、径方向内側に突設された入力リング保持部７７ａを備えている。
【００４２】
この入力リング保持部７７ａは、円板状のものから構成され、マニュアル用入力リング７６を後方側から、後述の付勢部材１１を介して操作する。
【００４３】
そして、このマニュアル操作リング７７は、固定筒２の外周側に、固定筒２の軸まわりに回動自在に配設されている。又、この状態で、入力リング保持部７７ａは、オート用入力リング６３の後方側に、第１ローラー転動部６３ｄと対向するように配設されている。
【００４４】
次に、入力伝達リング４について説明する。入力伝達リング４は、図２に示すように円筒状のものから構成されており、前端側に、カム環係合用凹部４４を備えている。
【００４５】
カム環係合用凹部４４は、この実施形態では、入力伝達リング４の周方向に等間隔に配設された２つから構成されており、各カム環係合用凹部４４は、入力伝達リング４の内周面に、前端面から所定の深さで形成されている。
【００４６】
又、入力伝達リング４には、入力伝達リング４に保持された少なくとも３つ（この実施形態では、３つ）の連動部材４２が付設されている。
【００４７】
連動部材４２は、入力伝達リング４とオート用入力リング６３とを連動させるとともに、入力伝達リング４とマニュアル用入力リング７６とを連動させるもので、連動部材４２の夫々は、ローラー軸４２ａと、転動ローラー４２ｂとを備えている。各転動ローラー４２ｂは、ローラー軸４２ａに回動自在に支持されている。
【００４８】
又、転動ローラー４２ｂを支持したローラー軸４２ａは、転動ローラー４２ｂを入力伝達リング４の外周側に、その軸方向を固定筒２の軸と直交（光軸と直交）する方向に配設されて入力伝達リング４に取り付けられている。又、この状態で、転動ローラー４２ｂは、入力伝達リング４の軸方向の前後両端面の夫々から軸方向に突出している。又、このようにして入力伝達リング４に取り付けられた３つの連動部材４２は、入力伝達リング４の周方向に等間隔になるように配設されている。
【００４９】
このように構成された入力伝達リング４は、固定筒２の軸方向（光軸方向）におけるオート用入力リング６３とマニュアル用入力リング７６との間に、固定筒２に対して入力伝達リング４が固定筒２の軸まわり（光軸まわり）に回動自在になるように、固定筒２の外周側に配設されている。
【００５０】
又、この状態で、転動ローラー４２ｂは、オート用入力リング６３の第１ローラー転動部６３ｄとマニュアル用入力リング７６の第２ローラー転動部７６ａとの間に配設され、付勢部材１１によって両者に加圧状態で挟持されている。
【００５１】
詳しくは、マニュアル操作リング７７の入力リング保持部７７ａとマニュアル用入力リング７６との間に、波板リング状のスプリングからなる付勢部材１１が設けられており、この付勢部材１１によって、マニュアル用入力リング７６は、前方側のオート用入力リング６３側に付勢されている。
【００５２】
そして、この付勢力により、マニュアル用入力リング７６の第２ローラー転動部７６ａが転動ローラー４２ｂを押圧し、この押圧によって転動ローラー４２ｂがオート用入力リング６３の第１ローラー転動部６３ｄに押し付けられている。
【００５３】
これにより、転動ローラー４２ｂは、第１ローラー転動部６３ｄと第２ローラー転動部７６ａとに、一定の付勢力がかかった状態で挟持されている。尚、転動ローラー４２ｂに押圧されたオート用入力リング６３は、ベアリング２４に受けられた状態に維持される。
【００５４】
次に、カム環５について説明する。カム環５は、図２に示すように３つのバヨネット係合部５１（図２で１つだけ表れている）と、３つのカム溝５２と備えている。バヨネット係合部５１は、カム環５を固定筒２に、固定筒２の軸まわり（光軸まわり）に回動可能且つ軸方向移動不能に係合する。
【００５５】
この実施形態では、バヨネット係合部５１は、カム環５の前部側における周方向の３箇所に配設されている。各バヨネット係合部５１は、固定筒２のバヨネット係合用凸部２３が摺動自在に係合する係合溝５１ａと、バヨネット係合用凸部２３を係合溝５１ａに入れる溝入口５１ｂとを備えている。
【００５６】
係合溝５１ａは、カム環５の内周面に、周方向に所定の長さで形成されている。溝入口５１ｂは、カム環５の前端面から所定の深さで、係合溝５１ａの一端と連通するように形成されている。
【００５７】
カム溝５２は、カム環５の回動に際してレンズ３１、３２を固定筒２の軸方向に駆動させるためのもので、周方向に等間隔に配設されている。各カム溝５２は、軸方向及び周方向に対して所定の角度をなして所定の長さで延ばされた長穴状のものから構成されている。
【００５８】
又、カム環５は、カム環５の前部側の外周面におけるカム環係合用凹部４４に対応する位置に、カム環係合用凹部４４と係合する２つのリング係合用凸部５３を備えている。各リング係合用凸部５３は、周方向の幅がカム環係合用凹部４４の幅と同幅に形成され、カム環係合用凹部４４に周方向移動不能かつ軸方向移動可能に嵌挿する。
【００５９】
そして、カム環５は、図１に示すように固定筒２の後部側の外周側に回動自在に挿入されているとともに、バヨネット係合用凸部２３を係合溝５１ａに固定筒２のバヨネット係合用凸部２３が摺動可能に挿入されている。又、この状態で、カム環５は、径方向における固定筒２と入力伝達リング４との間に配設されて、カム環５のリング係合用凸部５３がカム環係合用凹部４４に嵌挿した状態になっている。
【００６０】
次に、レンズ保持部材７について説明する。レンズ保持部材７は、この実施形態では、図１、図３に示すようにレンズ保持部材本体（保持体）７１と、レンズ保持部材本体７１に取り付けられた摺動軸７５と、レンズ保持部材本体７１の前部側に連結された第１連結部材７２と、レンズ保持部材本体７１の後部側に連結された第２連結部材７３とを備えている。
【００６１】
レンズ保持部材本体７１は、円筒状を呈し、前端側の内周に、第１連結部材７２を螺合する第１内ネジ部（第１連結用ネジ部）７１ａを、後端側の内周に、第２連結部材７３を螺合する第２内ネジ部７１ｂを、それぞれ備えている。
【００６２】
又、レンズ保持部材本体７１は、内周における第１内ネジ部７１ａと第２内ネジ部７１ｂとの間に、後述の絞り羽根保持部材８２を受ける絞り羽根保持部材受け部７１ｄを備えている。
【００６３】
この絞り羽根保持部材受け部７１ｄは、レンズ保持部材本体７１の全周にわたって、内周から径方向内側に突設されて前方を向くように形成されている。
【００６４】
又、この実施形態のレンズ保持部材本体７１の内周側には、図３に示すように、後述の絞りユニット８の羽根操作部材８４を付勢するコイルバネからなる付勢バネ８５が付設されている。この付勢バネ８５は、一端がボルト８６を介してレンズ保持部材本体７１の内周に係止されている。
【００６５】
摺動軸７５は、レンズ保持部材本体７１の外周に、周方向に沿って等間隔に配設された３個から構成されている。各摺動軸７５は、レンズ保持部材本体７１の外周から径方向外側に突出するように固定的に取り付けられている。
【００６６】
第１連結部材７２は、第１連結部材本体７０と、押圧部７２ｄとを備えている。第１連結部材７０は、円筒状を呈し、内周側に、後述の第１レンズ３１を保持した第１レンズ保持部７７ａを備えている。第１レンズ保持部７７ａは、第１レンズ３１を保持した保持面７７ｃを備えている。
【００６７】
この保持面７７ｃは、後述の絞りユニット８の絞り羽根保持部材８２の外径よりも径が小さく、絞り羽根保持部材８２の外径よりも小径のレンズを保持できるようになっている。
【００６８】
又、第１連結部材７０は、外周側の後部に、第１内ネジ部７１ａに螺合する第１雄ネジ部（第１連結ネジ螺合用ネジ部）７２ｂを備えている。
【００６９】
押圧部７２ｄは、後述の絞りユニット８の絞り羽根保持部材８２を押圧するもので、この実施形態の押圧部７２ｄは、第１レンズ保持部材本体７０の後端面（一端）から後方側（軸方向の一方向側）に突設された一対の支持片７２ｅと、前記支持片７２ｅに掛け渡された軸方向に撓み可能な弾性片７２ｆとを備えている。支持片７２ｅは、互いに周方向に所定の距離を持って配設されている。
【００７０】
尚、この実施形態では、押圧部７２ｄは第１レンズ保持部材本体７０と一体成形によって形成され、押圧部７２ｄを容易に形成できるようにしている。ただし、押圧部７２ｄは第１レンズ保持部材本体７０と一体成形によって形成される形態のものに限らず、例えば押圧部７２ｄは第１レンズ保持部材本体７０と別体のものから構成され、第１レンズ保持部材本体７０に連結とされてもよく、適宜変更できる。
【００７１】
弾性片７２ｆは、外周面の後部に、後述の絞りユニット８の絞り羽根保持部材８２の接着剤止め部８２ｄに嵌り込む絞り羽根保持部材嵌挿部７２ｈを備えている。この絞り羽根保持部材嵌挿部７２ｈは、外周面の前部から段部を介して径小に形成されている。
【００７２】
又、弾性片７２ｆは、その後端面に、後述の絞りユニット８の絞り羽根保持部材８２に当接する当接部７２ｇを備えている。当接部７２ｇは、弾性片７２ｆの後面から後方側に突設されている。
【００７３】
そして、第１雄ネジ部７２ｂがレンズ保持部材本体７１の第１内ネジ部に螺合され、これにより、第１連結部材７２がレンズ保持部材本体７１の前部側に連結されている。
【００７４】
第２連結部材７３は、図１に示すように、円筒状を呈し、内周側に、後述の第２レンズを保持したレンズ保持部７３ａを備えている。又、第２連結部材７３は、外周側に、第２内ネジ部７１ｂに螺合する第２雄ネジ部７３ｂを備えている。
【００７５】
そして、この第２雄ネジ部７３ｂがレンズ保持部材本体７１の第２内ネジ部７１ｂに螺合され、これにより、第２連結部材７３がレンズ保持部材本体７１の後部側に連結されている。
【００７６】
次に、絞りユニット８について説明する。この実施形態の絞りユニット８は、図３に示すように絞り羽根８１と、絞り羽根８１を保持した円板状の絞り羽根保持部材８２と、絞り羽根８１を操作する羽根操作部材８４とを備えている。
【００７７】
絞り羽根８１は、この実施形態では、板状の９個の羽根片８１ａを備えている。各羽根片８１ａは、前面から前方に突設された保持用軸８１ｂと、後面から後方に突設された駆動軸８１ｃとを備えている。
【００７８】
絞り羽根保持部材８２は、後面側に、絞り羽根８１の保持用軸８１ｂを受容する９個の保持用軸受容凹部８２ａを備えている。これらの保持用軸受容凹部８２ａは、周方向に等間隔に配設されている。各保持用軸受容凹部８２ａは、図１に示すように、後面から所定深さで凹まされるようにして形成されている。
【００７９】
又、絞り羽根保持部材８２は、前面側における保持用軸受容凹部８２ａの径方向外側に、押圧部７２ｄに押圧される筒状の被押圧部８２ｂを備えている。被押圧部８２ｂは、前面から前方に突出され、その前端に、押圧部７２ｄの当接部７２ｇを受ける押圧部受け面８２ｃと、接着剤止め部８２ｄとを備えている。押圧部受け面８２ｃは、被押圧部８２ｂの後面の全周にわたって形成されている。
【００８０】
接着剤止め部８２ｄは、後述の絞りユニット用接着剤１００ａが被押圧部８２ｂの外周側に流れるのを止めるためのもので、この実施形態では，接着剤止め部８２ｄは、押圧部受け面８２ｃの径方向外側に全周にわたって、上記弾性片７２ｆの絞り羽根保持部材嵌挿部７２ｈに嵌り込み得る径で、押圧部受け面８２ｃから前方に突出するように形成されている。
【００８１】
又、絞り羽根保持部材８２は、後面側に、レンズ保持部材本体７１の絞り羽根保持部材受け部７１ｄに受けられる被受け部８２ｅを備えている。
【００８２】
羽根操作部材８４は、円板状を呈し、駆動軸８１ｃを遊嵌する９個の絞り用カム溝８４ａを備えている。これらの絞り用カム溝８４ａは、羽根操作部材８４の周方向に沿って等間隔に配設されており、各絞り用カム溝８４ａは、長孔に形成されている。
【００８３】
又、羽根操作部材８４は、図６に示すように、外周に、後方側に突設された第１連結片８４ｂを備えている。又、第１連結片８４ｂは、付勢バネ８５を係止したバネ係止片８４ｃを備えている。
【００８４】
このように構成された絞りユニット８は、次のようにしてレンズ保持部材７に組み付けられてレンズ保持部材７に保持されている。
【００８５】
各絞り羽根８１の保持用軸８１ｂが絞り羽根保持部材８２の保持用軸受容凹部８２ａに入れられるとともに、各駆動軸８１ｃが羽根操作部材８４の絞り用カム溝８４ａに入れられる。この状態で、絞り羽根８１は、全体が円板状を呈し、中心部に、絞り開口８１ｄを形成し、羽根操作部材８４の一方向側への回動に伴って絞り開口８１ｄが拡大し、羽根操作部材８４の他方向側への回動に伴って絞り開口８１ｄが縮小する。
【００８６】
そして、この状態で、羽根操作部材８４が絞り羽根保持部材８２の被受け部８２ｅがレンズ保持部材本体７１の絞り羽根保持部材受け部７１ｄに受けられるように配置される。
【００８７】
又、この状態で、レンズ鏡筒１０に設けられた絞り操作部材８３に連結される。詳しくは、レンズ鏡筒１０は、後部側に、絞りユニット８を操作する絞り操作部材８３を備えている。
【００８８】
この絞り操作部材８３は、図６に示すように、円板部８３ａと、円板部８３ａから前方側に突設された第２連結片８３ｂと、円板部８３ａから後方側に突設された操作片８３ｃとを備えている。そして、この絞り操作部材８３は、図１に示すようにレンズ鏡筒１０に設けられたマウント２５に、円板部８３ａが固定筒２に対して回動自在に保持されている。
【００８９】
そして、羽根操作部材８４の第１連結片８４ｂが、絞り操作部材８３の第２連結片８３ｂに回動不能に、且つ軸方向移送可能に連結されている。従って、絞り操作部材８３の操作片８３ｃの回動操作によって、羽根操作部材８４が回動操作され、羽根操作部材８４の回動に伴って絞り羽根８１の絞り開口８１ｄが拡縮する。
【００９０】
又、羽根操作部材８４のバネ係止片８４ｃが付勢バネ８５の他端に係止され、羽根操作部材８４は、常時、周方向の一方向側に付勢されている。
【００９１】
そして、この状態から、第１連結部材７２の第１雄ネジ部７２ｂがレンズ保持部材本体７１の第１内ネジ部７１ａに螺合される。その螺合に際して、接着剤止め部８２ｄが第１連結部材７２の押圧部７２ｄの絞り羽根保持部材嵌挿部７２ｈに嵌り込んでいくととともに、押圧部７２ｄの当接部７２ｇが押圧部受け面８２ｃに当接する。
【００９２】
従って、第１連結部材７２の第１雄ネジ部７２ｂをレンズ保持部材本体７１の第１内ネジ部７１ａに螺合する操作で、同時に、押圧部７２ｄの当接部７２ｇが押圧部受け面８２ｃに当接させることができ、押圧操作を容易なものにできる。
【００９３】
更に、第１雄ネジ部７２ｂが第１内ネジ部７１ａに螺合されていくと、図７に示すように、当接部７２ｇが押圧部受け面８２ｃからの反力によって弾性片７２ｆが、後方側に撓んで弾性力を蓄える。
【００９４】
又、その弾性力によって、絞り羽根保持部材８２は、後方側に押圧されて絞り羽根保持部材受け部７１ｄに回動可能状態に押し付けられる。従って、絞り羽根保持部材８２は、確実に、絞り羽根保持部材受け部７１ｄに回動可能状態に押し付けられる。
【００９５】
この状態で、絞り操作部材８３の操作片８３ｃが回り止めされた状態にされ、前方側から、図示しない調整治具によって絞り羽根保持部材８２が回動されることにより、絞り羽根８１が羽根操作部材８４に対して回動され、絞り羽根８１の羽根操作部材８４に対する初期位置調整を行い、絞り開口８１ｄの大きさを初期設定する。
【００９６】
初期位置調整後は、図１に示すように押圧部７２ｄと被押圧部８２ｂとに、内周側から絞りユニット用接着剤１００ａを充填する。その際、被押圧部８２ｂの外周側に接着剤止め部８２ｄが形成されているため、絞りユニット用接着剤１００ａが被押圧部８２ｂの外周側に流れ出て絞り羽根８１と羽根操作部材８４との間に流れるおそれの少ないものにできる。
【００９７】
次に、レンズ３１、３２について説明する。レンズは、第１連結部材７２の第１レンズ保持部７３ａに保持された第１レンズ３１と、第２連結部材７３の第２レンズ保持部７３ａに保持された第２レンズ３２とを備えている。これらの第１レンズ３１及び第２レンズ３２は、１又は複数のレンズから構成される。
【００９８】
第１レンズ３１は、この実施形態では、外径が絞り羽根保持部材８２の外径よりも小さく、保持枠３１ａを介して第１連結部材７２の第１レンズ保持部７３ａの保持面７２ｃに前方側から当てられるようにして係止部材３１ｃによって固定的に保持されている。
【００９９】
第２レンズ３２は、この実施形態では、後部側（一端側）が第２連結部材７３の後端から後方に突出されたレンズ突出部３３を備えている。そして、このレンズ突出部３３に、不要光を遮るための円筒状の遮光部材９が取り付けられている。
【０１００】
次に、このレンズユニット１の動作について説明する。例えば、図示しないオートフォーカススイッチが入り操作されると、制御部６２の制御に従って、モータ６１へ電力が供給され、それに伴い出力ギア６１ｃが回動する。
【０１０１】
又、この出力ギア６１ｃの回動に伴って、その出力ギア６１ｃと噛合したオート用入力リング６３が回動する。また、この回動に伴い、転動ローラー４２ｂが第１ローラー転動部６３ｄを転動する。その際、転動ローラー４２ｂが第１ローラー転動部６３ｄとマニュアル用入力リング７６の第２ローラー転動部７６ａとに挟持されているとともに、マニュアル用入力リング７６が付勢部材１１の付勢力等によって回動が規制されているため、転動ローラー４２ｂは自転しながら、固定筒２のまわりを公転し、これにより、転動ローラー４２ｂを保持した入力伝達リング４が回動する。
【０１０２】
そして、その入力伝達リング４の回動によって、リング係合用凸部５３とカム環係合用凹部４４とによって回動不能に係合されたカム環５が回動する。
【０１０３】
又、カム環５の回動によって、固定筒２の摺動軸案内溝２２及びカム環５のカム溝５２夫々に入り込んだ摺動軸７５がそれらの溝２２、５２を摺動する。そして、摺動軸７５の摺動に伴い、レンズ保持部材本体７１が固定筒２の軸方向に移動する。
【０１０４】
又、それに伴い、レンズ保持部材本体７１に保持された絞りユニット８と、レンズ保持部材本体７１に連結された第１連結部材７２及び第２連結部材７３が、レンズ保持部材本体７１と共に固定筒２の軸方向に移動する。又、第１連結部材７２と第２連結部材７３とのそれぞれに保持された第１レンズ３１と第２レンズ３２が固定筒２の軸方向に移動する。
【０１０５】
一方、マニュアル操作リング７２が手で回動操作されると、マニュアル用入力リング７６が回動し、第２ローラー転動部７６ａを転動ローラー４２ｂが転動する。その際、転動ローラー４２ｂを第２ローラー転動部７６ａと挟持したオート用入力リング６３は、モータ６１と噛合して回動できないため、転動ローラー４２ｂは自転しながら、固定筒２のまわりを公転し、入力伝達リング４全体が回動する。以下、上述したオートフォーカスの場合と同様に、カム環５が回動し、そのカム環５の回動によって、固定筒２の摺動軸案内溝２２及びカム環５のカム溝５２夫々に入り込んだ摺動軸７５がそれらの溝２２、５２を摺動する。そして、摺動軸７５の摺動に伴い、レンズ保持部材７が固定筒２の軸方向に移動し、レンズ保持部材７に保持されたレンズ３１、３２がレンズ保持部材７が固定筒２の軸方向に移動する。
【０１０６】
又、絞り操作部材８３の操作片８３ｃが回動操作されることにより、羽根操作部材８４が回動操作される。そして、この羽根操作部材８４の回動に伴って絞り羽根８１の絞り開口８１ｄが拡大し、あるいは拡縮する。
【符号の説明】
【０１０７】
１    レンズユニット
２    固定筒
４    入力伝達リング
５    カム環
７    レンズ保持部材
８    絞りユニット
１０    レンズ鏡筒
３１、３２    レンズ
７１    レンズ保持部材本体（保持体）
７２    第１連結部材
７２ｄ    押圧部
７２ｆ    弾性片
７３    第２連結部材
８１    絞り羽根
８２    絞り羽根保持部材
８４    羽根操作部材
【図１】
2015087497.tif 000003
【図２】
2015087497.tif 000004
【図３】
2015087497.tif 000005
【図４】
2015087497.tif 000006
【図５】
2015087497.tif 000007
【図６】
2015087497.tif 000008
【図７】
2015087497.tif 000009